(57)【要約】【課題】電子ビューファインダの表示品質の向上に有利な技術を提供する。【解決手段】表示部および表示部の周囲に位置する周辺部を含む第１面を備える表示デバイスと第１面に対向するレンズと表示デバイスとレンズとの間の空間を取り囲む筐体とを含み、筐体は、周辺部の少なくとも一部と重なる重複部を含み、重複部の内縁は、第１面と交差する方向に沿って配された第２面と、第２面と重複部のうち第１面に対向する面とは反対側の第３面とによって形成される第１辺と、を備え、筐体は、周辺部の少なくとも一部と重なる遮光部を含み、周辺部と遮光部との間の距離は、周辺部と重複部との間の距離よりも大きく、表示部の端部から出射される光のうち、第１面の法線から所定の角度未満の角度を有する光は、重複部に入射せずにレンズに入射し、かつ、第１面の法線から所定の角度以上の角度を有し重複部で反射する光は、遮光部に入射する。【選択図】図１
2020181103.tif 000002
【特許請求の範囲】
【請求項１】
表示部および前記表示部の周囲に位置する周辺部を含む第１面を備える表示デバイスと、前記第１面に対向するレンズと、前記表示デバイスと前記レンズとの間の空間を取り囲む筐体と、を含む電子ビューファインダであって、
前記筐体は、前記第１面に対する正射影において、前記周辺部の少なくとも一部と重なる重複部を含み、
前記第１面に対する正射影における前記重複部の内縁は、前記第１面と交差する方向に沿って配された第２面と、前記第２面と前記重複部のうち前記第１面に対向する面とは反対側の第３面とによって形成される第１辺と、を備え、
前記筐体は、前記第１面に対する正射影において、前記周辺部の少なくとも一部と重なる遮光部を含み、
前記周辺部と前記遮光部との間の距離は、前記周辺部と前記重複部との間の距離よりも大きく、
前記表示部の端部から出射される光のうち前記第１面の法線から所定の角度未満の角度を有する光は、前記重複部に入射せずに前記レンズに入射し、かつ、前記表示部の端部から出射される光のうち前記第１面の法線から前記所定の角度以上の角度を有し前記重複部で反射する光は、前記遮光部に入射することを特徴とする電子ビューファインダ。
【請求項２】
前記第１面に対する正射影において、前記表示部の外縁から前記第１辺までの長さをＸ［ｍｍ］とし、
前記第１面に対する法線方向において、前記第１面から前記第１辺までの長さをＹ［ｍｍ］としたとき、
Ｘ≧Ｙであることを特徴とする請求項１に記載の電子ビューファインダ。
【請求項３】
前記第１面に対する正射影において、前記第１辺から前記遮光部の内縁のうち前記第１辺と前記表示部の中央を介して対向する位置に配される第２辺までの長さをＬ［ｍｍ］とし、
前記第１面に対する法線方向において、前記第１辺から前記第２辺までの長さをＨ［ｍｍ］としたとき、
Ｈ≧Ｌであることを特徴とする請求項１または２に記載の電子ビューファインダ。
【請求項４】
前記所定の角度は、４５°であることを特徴とする請求項１乃至３の何れか１項に記載の電子ビューファインダ。
【請求項５】
表示部および前記表示部の周囲に位置する周辺部を含む第１面と前記第１面を覆うように配された保護層とを備える表示デバイスと、前記第１面に対向するレンズと、前記表示デバイスと前記レンズとの間の空間を取り囲む筐体と、を含む電子ビューファインダであって、
前記筐体は、前記第１面に対する正射影において、前記周辺部の少なくとも一部と重なる重複部を含み、
前記第１面に対する正射影における前記重複部の内縁は、前記第１面と交差する方向に沿って配された第２面と、前記第２面と前記重複部のうち前記第１面に対向する面とは反対側の第３面とによって形成される第１辺と、を備え、
前記筐体は、第１面に対する正射影において、前記周辺部の少なくとも一部と重なる遮光部を含み、
前記周辺部と前記遮光部との間の距離は、前記周辺部と前記重複部との間の距離よりも大きく、
前記第１面に対する正射影において、前記表示部の外縁から前記第１辺までの長さをＸ［ｍｍ］、前記第１辺から前記遮光部の内縁のうち前記第１辺と前記表示部の中央を介して対向する位置に配される第２辺までの長さをＬ［ｍｍ］とし、
前記第１面に対する法線方向において、前記保護層の前記第１面と対向する面とは反対側の面から前記第１辺までの長さをＹ１［ｍｍ］、前記保護層の厚さをＹ２［ｍｍ］、前記第１辺から前記第２辺までの長さをＨ［ｍｍ］とし、
前記保護層の屈折率をｎとしたとき、
Ｘ≧Ｙ１ｔａｎ｛９０−ａｒｃｔａｎ（Ｈ／Ｌ）｝
＋Ｙ２ｔａｎ〔ａｒｃｓｉｎ［ｓｉｎ｛９０−ａｒｃｔａｎ（Ｈ／Ｌ）｝／ｎ］〕
であることを特徴とする電子ビューファインダ。
【請求項６】
前記第２面が、前記第１面に対する法線方向と平行であることを特徴とする請求項１乃至５の何れか１項に記載の電子ビューファインダ。
【請求項７】
前記第３面が、前記第１面と平行であることを特徴とする請求項１乃至６の何れか１項に記載の電子ビューファインダ。
【請求項８】
前記筐体は、前記表示部と重なるように配される複数のレンズを保持し、
前記遮光部が、前記複数のレンズのうち前記第１面に最も近い位置に配される前記レンズに近接して配されることを特徴とする請求項１乃至７の何れか１項に記載の電子ビューファインダ。
【請求項９】
前記遮光部が、前記第１面に最も近い位置に配される前記レンズのうち前記第１面と対向する面とは反対側の面に接するように配されることを特徴とする請求項８に記載の電子ビューファインダ。
【請求項１０】
前記遮光部が、前記第１面に最も近い位置に配される前記レンズの外縁部を覆うように配されることを特徴とする請求項８または９に記載の電子ビューファインダ。
【請求項１１】
前記第３面が、前記表示部から離れるにしたがって、前記第１面からの距離が段階的に大きくなる階段形状を備えることを特徴とする請求項１乃至１０の何れか１項に記載の電子ビューファインダ。
【請求項１２】
前記第１面に対する法線方向において、前記階段形状のうち前記第２面によって構成される段差が、他の段差よりも小さいことを特徴とする請求項１１に記載の電子ビューファインダ。
【請求項１３】
前記第１面に対する正射影において、前記周辺部のうち前記重複部が重なっていない部分が、反射抑制層に覆われることを特徴とする請求項１乃至１２の何れか１項に記載の電子ビューファインダ。
【請求項１４】
前記表示部の上に、カラーフィルタが配され、
前記反射抑制層が、前記カラーフィルタと同じ材料を用いた層を含むことを特徴とする請求項１３に記載の電子ビューファインダ。
【請求項１５】
前記表示デバイスが、有機ＥＬ表示デバイスであることを特徴とする請求項１乃至１４の何れか１項に記載の電子ビューファインダ。
【請求項１６】
前記第１面に対する法線方向において、前記筐体のうちの前記第１面の側とは反対の側の端部に、前記第１面を覆うように光透過部材が配されることを特徴とする請求項１乃至１５の何れか１項に記載の電子ビューファインダ。
【請求項１７】
前記光透過部材は、前記第１面と対向する第４面と、前記第４面とは反対側かつ前記レンズと対向する第５面を含み、
前記第４面および前記第５面が、反射防止膜で覆われていることを特徴とする請求項１６に記載の電子ビューファインダ。
【請求項１８】
前記重複部のうち少なくとも一部が、前記第１面と当接して配されることを特徴とする請求項１乃至１７の何れか１項に記載の電子ビューファインダ。
【請求項１９】
請求項１乃至１８の何れか１項に記載の電子ビューファインダと、前記電子ビューファインダに表示する画像を撮像する撮像素子と、を備える撮像装置。
【発明の詳細な説明】
【技術分野】
【０００１】
本発明は、電子ビューファインダおよび撮像装置に関する。
【背景技術】
【０００２】
撮像装置などに搭載される電子ビューファインダは、液晶や有機ＥＬなどを用いた表示デバイスを含む表示モジュールや接眼光学系を含む。表示モジュールは、表示デバイスの画像を表示する表示面へのごみの付着を抑制するために、表示デバイスと接眼光学系との間の空間で表示面を取り囲むように配される外囲部材を含む。外囲部材には、表示面の画像を表示する表示部の周囲に位置する周辺部において、周辺部に重なるように配され、外光反射を抑制するためのマスクなどとして機能しうる重複部が設けられる場合がある。特許文献１には、画像表示面と画像表示面から出射した光を透過させる透光板との間に、画像表示面の周囲を覆うスペーサを配することが示されている。
【先行技術文献】
【特許文献】
【０００３】
【特許文献１】特開２００９−２５１４１９号公報
【発明の概要】
【発明が解決しようとする課題】
【０００４】
表示面から出射した表示光が、重複部の内縁部で反射し、重複部の内縁部端が視認されてしまい、表示品質が低下してしまう場合がある。
【０００５】
本発明は、電子ビューファインダの表示品質の向上に有利な技術を提供することを目的とする。
【課題を解決するための手段】
【０００６】
上記課題に鑑みて、本発明の実施形態に係る電子ビューファインダは、表示部および表示部の周囲に位置する周辺部を含む第１面を備える表示デバイスと、第１面に対向するレンズと、表示デバイスとレンズとの間の空間を取り囲む筐体と、を含む電子ビューファインダであって、筐体は、第１面に対する正射影において、周辺部の少なくとも一部と重なる重複部を含み、第１面に対する正射影における重複部の内縁は、第１面と交差する方向に沿って配された第２面と、第２面と重複部のうち第１面に対向する面とは反対側の第３面とによって形成される第１辺と、を備え、筐体は、第１面に対する正射影において、周辺部の少なくとも一部と重なる遮光部を含み、周辺部と遮光部との間の距離は、周辺部と重複部との間の距離よりも大きく、表示部の端部から出射される光のうち第１面の法線から所定の角度未満の角度を有する光は、重複部に入射せずにレンズに入射し、かつ、表示部の端部から出射される光のうち第１面の法線から所定の角度以上の角度を有し重複部で反射する光は、遮光部に入射することを特徴とする。
【発明の効果】
【０００７】
本発明によれば、電子ビューファインダの表示品質の向上に有利な技術を提供することができる。
【図面の簡単な説明】
【０００８】
【図１】本実施形態に係る電子ビューファインダの構成例を示す断面図。
【図２】図１の電子ビューファインダの表示光の光線を説明する図。
【図３】図１の電子ビューファインダの変形例を示す図。
【図４】図１の電子ビューファインダの重複部の変形例を示す断面図。
【図５】図１の電子ビューファインダを用いた撮像装置の構成例を示す図。
【発明を実施するための形態】
【０００９】
以下、添付図面を参照して実施形態を詳しく説明する。尚、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１０】
図１（ａ）〜５を参照して、本発明の実施形態による電子ビューファインダについて説明する。図１（ａ）は、本発明における電子ビューファインダ７００の構造を示す断面模式図である。まず、電子ビューファインダ７００の概略構成について説明する。
【００１１】
電子ビューファインダ７００は、図１（ａ）に示されるように表示モジュール１０と接眼光学系２０とカバー部材３０とを含む。観察者は、接眼光学系２０で拡大された表示モジュール１０から発せられる表示画像を、カバー部材３０を通して観察する。図１（ａ）の領域Ａで示される部分の拡大図を図１（ｂ）に示す。図１（ｂ）に示されるように、表示モジュール１０は、表示デバイス１００、表示デバイス１００と接眼光学系２０との間の空間に配される外囲部材２００および光透過部材３００を含む。外囲部材２００と後述する接眼光学系２０の鏡筒部材４２０とは、電子ビューファインダ７００の筐体５００を構成する。筐体５００は、表示デバイス１００と接眼光学系２０のレンズ４１０との間の空間を取り囲む。
【００１２】
表示デバイス１００は、表示素子１１０が配された表示部１０１および表示部の周囲に位置する周辺部１０２含む主面１０３を備える。表示デバイス１００は、シリコンやガラスなどの基材の主面１０３に液晶素子や有機ＥＬ素子などの表示素子１１０が配されている。表示部１０１には、表示素子１１０に加えて、表示素子１１０を駆動するためのトランジスタや表示素子１１０に電力を供給するための配線パターンなどが設けられる。主面１０３に対する正射影において、表示部１０１の典型的な形状は四辺形であり、この場合、表示部１０１の寸法（対角長）は、例えば、２．５４ｍｍ〜２５．４ｍｍ（０．１インチ〜１．０インチ）であり、例えば、５ｍｍ〜２０ｍｍである。周辺部１０２には、配線パターンや表示素子１１０を駆動するための回路、表示モジュール１０の外部と電気的な接続を行うための外部接続端子などが配される。外部接続端子と表示モジュール１０の外部と電気的な接続を行う配線基板（不図示）とが、バンプや異方性導電樹脂などの接合部材（不図示）を介して接合される。必要に応じて配線基板との接合部以外の領域の表示デバイス１００の上にガラスなどの光透過性の部材を設けてもよい。
【００１３】
筐体５００のうち外囲部材２００は、画像を表示する表示部１０１を含む主面１０３へのごみの付着を抑制するために、一端が表示デバイス１００の主面１０３の外縁を取り囲むように、主面１０３と直交するｚ方向（主面１０３に対する法線と平行な直線の方向。以下、法線方向ともいう。）に沿って配される側壁部２１０を含む。さらに、筐体５００のうち外囲部材２００は、表示デバイス１００の主面１０３に対する正射影において、周辺部１０２の少なくとも一部と重なる位置に配されるように、側壁部２１０から突出する重複部２２０を含む。表示デバイス１００の主面１０３に対する正射影において、側壁部２１０は、図１に示されるように、表示デバイス１００の外縁よりも外側に配されうる。しかしながら、これに限られることはなく、側壁部２１０が、表示デバイス１００の一部を覆っていてもよい。これに対して、重複部２２０は、側壁部２１０の一部からｚ方向と交差する方向（以下、ｘ方向とする。）に、表示デバイス１００の一部を覆うように突出する。ｘ方向は、表示デバイス１００の主面１０３と平行であってもよい。また、ｘ方向は、ｚ方向と直交していてもよい。
【００１４】
側壁部２１０と重複部２２０とは、同じ材料で一体的に形成されていてもよい。側壁部２１０と重複部２２０とは、別々に形成され、接着剤などの結合部材などを用いて互いに結合していてもよい。表示デバイス１００の周辺部１０２にフレキシブル配線板（ＦＰＣ）などの配線基板が接合されている場合、配線基板によって周辺部１０２に段差が生じうる。この配線基板によって生じる段差を解消するために、表示デバイス１００の主面１０３が重複部２２０に当接するように、外囲部材２００に座繰り部（凹部）が設けられてもよい。外囲部材２００は、ポリエチレンテレフタレート（ＰＥＴ）、変性ポリフェニレンエーテル（ＰＰＥ）、液晶ポリマー（ＬＣＰ）などの熱可塑性の樹脂によって構成されうる。外囲部材２００の機械的強度を向上させるために、樹脂の材料中にガラス繊維などのフィラーが添加されてもよい。また、表示素子１１０からの発光や外光が外囲部材２００の表面で反射し、電子ビューファインダ７００の表示品質が低下することを抑制するために、外囲部材２００を構成する樹脂に黒色顔料などが添加されてもよい。重複部２２０は、周辺部１０２における外光反射を抑制するためのマスクとして機能しうる。特許文献１に示される構成において、電子ビューファインダの外から接眼光学系を通して入射した外光は、スペーサの斜面で表示部の側に反射しコントラストの低下などの表示品質が低下する可能性がある。そのため、重複部２２０のうち表示デバイス１００と対向する面とは反対側の上面２０１は、表示デバイス１００の主面１０３と略平行であってもよい。これによって、外光が上面２０１に当たり表示部１０１の側に反射しコントラストが低下するなど表示品質が低下してしまうことを抑制できる。また、重複部２２０は、外囲部材２００の表示デバイス１００に対する位置や高さを決める位置決め部材としての役割も有しうる。重複部２２０のうち少なくとも一部が、表示デバイス１００の主面１０３と当接して配されることによって、外囲部材２００と表示デバイス１００との高さが一義的に決めることが可能となる。
【００１５】
ｚ方向において、外囲部材２００のうち表示デバイス１００の主面１０３の側とは反対の側の端部に、表示デバイス１００の主面１０３を覆うように光透過部材３００が配される。光透過部材３００は、表示デバイス１００の主面１０３と対向する下面３０１と、下面３０１とは反対側かつ前記接眼光学系と対向する上面３０２と、を含む。光透過部材３００は、ガラスや、アクリルなどのプラスチックを用いることができる。表示デバイス１００の周囲を取り囲む外囲部材２００と光を透過する光透過部材３００とによって、表示デバイス１００の表示部１０１に塵やほこりが付着することが抑制される。また、図１（ｂ）に示されるように、本実施形態において、外囲部材２００のｚ方向の一方の端部に表示デバイス１００が配され、他方の端部に光透過部材３００が配される。このため、本実施形態において、表示デバイス１００と光透過部材３００との間に、外囲部材２００が配されている。
【００１６】
接眼光学系２０は、表示デバイス１００の表示部１０１に表示された画像を拡大する。接眼光学系２０は、複数のレンズ４１０を鏡筒部材４２０で一体化させたユニットでありうる。接眼光学系２０を光軸の方向であるｚ方向に移動させ、接眼光学系２０の表示デバイス１００に対する間隔を変化させることによって、観察者の視力に合わせた視度調整を行う機構が設けられてもよい。電子ビューファインダ７００の筐体５００を構成する外囲部材２００と鏡筒部材４２０とは、図１（ａ）に示されるように、別々に形成され、接着剤などの結合部材を用いて結合されていてもよい。しかしながら、これに限られることはなく、筐体５００を構成する外囲部材２００と鏡筒部材４２０とが、一体的に形成されていてもよい。
【００１７】
カバー部材３０は、レンズ４１０にキズが付くのを防止し、また、電子ビューファインダ７００内の防塵防滴性能を向上させるために設けられる。カバー部材３０が接眼部とされてもよい。また、カバー部材３０上にアイカップと呼ばれる接眼部から余分な外光が入ることを抑制するゴムやプラスチックなどによって構成される外光抑制部材が設けられ、外光抑制部材が接眼部として機能してもよい。
【００１８】
次に、本実施形態による電子ビューファインダ７００の製造方法について説明する。ここでは、表示素子１１０として有機ＥＬ表示素子を用いた場合について述べる。つまり、表示デバイス１００が、有機ＥＬ表示デバイスである場合について説明する。
【００１９】
まず、シリコンなどの半導体を用いた基板の主面１０３の側に、表示素子１１０を駆動するためのトランジスタ、キャパシタなどの半導体素子が形成される。半導体素子上には、絶縁層および配線パターン層などが順次形成され、同時に基板の表示部１０１外側の周辺部１０２には外部接続端子などが形成される。次いで絶縁層に設けられたビアを介して配線パターン層と電気的に接続された画素電極が画素毎に設けられる。画素電極は基板の主面１０３における表示部１０１に形成される。画素電極上に白色の有機ＥＬ発光層が形成され、有機ＥＬ発光層の上には、透明電極、封止層、カラーフィルタがこの順で積層形成される。その後、表示デバイス１００と外部電源などを電気的に接続するためのフレキシブル配線基板（ＦＰＣ）が、表示デバイス１００に設けられた外部接続端子に異方性導電樹脂を介して接合されることで表示デバイス１００が完成しうる。
【００２０】
外囲部材２００は、例えば、射出成型法によって形成される。本実施形態において、外囲部材２００を構成する樹脂に液晶ポリマーを用い、外囲部材２００の側壁部２１０および重複部２２０は一体成型で形成した。成型条件は、例えば、樹脂温度３５０℃、金型温度１３０℃、射出圧力１００ＭＰａとすることができる。
【００２１】
次いで、表示デバイス１００の主面１０３に外囲部材２００を覆い被せ、表示デバイス１００の主面１０３と外囲部材２００の重複部２２０とを当接させる。その後、表示デバイス１００と外囲部材２００との隙間にエポキシ系の接着剤を注入し、表示デバイス１００と外囲部材２００とが結合される。次に、外囲部材２００の表示デバイス１００が配される端部とは反対側の端部に表示デバイス１００の主面１０３と対向するように光透過部材３００としてガラス基板を設置し、エポキシ系の接着剤にて接着する。光透過部材３００において、面３０１および面３０２の両面、または、面３０１または面３０２の何れか一方の面が、反射防止膜で覆われていてもよい。反射防止膜が面３０１および面３０２の少なくとも一方に形成されることによって、表示光の反射を抑制することが可能となる。以上の工程をもって、表示モジュール１０が完成する。
【００２２】
次に、表示モジュール１０の上に接眼光学系２０が設置される。ここで、本明細書において、「上」方向とは、図１（ａ）、１（ｂ）に示されるｚ方向の矢印の方向を示す。したがって、本明細書において、接眼光学系２０は、表示モジュール１０の「上」に配されると表現される。本実施形態において、接眼光学系２０は、表示デバイス１００の表示部１０１と重なるように配される３つのレンズ４１０の組み合わせによって構成される。しかしながら、接眼光学系２０に配されるレンズ４１０の数は、３つに限られることはなく、２つ以下であってもよいし、４つ以上であってもよい。接眼光学系２０に求められる性能に応じて、適宜レンズの枚数を選択すればよい。接眼光学系２０は、複数のレンズ４１０と、複数のレンズ４１０を保持するための鏡筒部材４２０と、を含む。本実施形態において、筐体５００を構成する鏡筒部材４２０は、表示デバイス１００の主面１０３に対する正射影において、周辺部１０２の少なくとも一部と重なる遮光部４３０を含む。したがって、接眼光学系２０のレンズ４１０は、表示モジュール１０からの表示画像が透過する部分４０１と、遮光部４３０が重なっており表示画像が透過しない部分４０２と、が含まれる。遮光部４３０は、図１（ａ）、１（ｂ）に示されるように、鏡筒部材４２０と一体的に形成されていてもよいし、別々に形成され組み立てられていてもよい。また、本実施形態において、表示デバイス１００の主面１０３と接眼光学系２０とのｚ方向における距離は、接眼光学系２０の焦点距離とほぼ等しくなるように、表示モジュール１０との高さ調整を行った。ここで、遮光部４３０は、図１（ａ）に示されるように、複数のレンズ４１０のうち表示デバイス１００の主面１０３に最も近い位置に配されるレンズ４１０に近接して配されていてもよい。また、図１（ｂ）に示されるように、遮光部４３０は、表示デバイス１００の主面１０３に最も近い位置に配されるレンズ４１０のうち主面１０３と対向する下面とは反対側の上面に接するように配されていてもよい。この場合、遮光部４３０によってレンズ４１０が保持されていてもよい。遮光部４３０は、図１（ａ）、１（ｂ）に示されるように、レンズ４１０の外縁部を覆うように配されうる。
【００２３】
また、遮光部４３０は、鏡筒部材４２０が配される位置（高さ）に配されることに限られることはない。遮光部４３０は、後述する位置関係が満たされる範囲において、外囲部材２００と一体的に形成されていてもよいし、別々に形成され遮光部４３０が外囲部材２００に組み付けられていてもよい。つまり、外囲部材２００と鏡筒部材４２０とによって構成される筐体５００が、遮光部４３０を備えているといえる。筐体５００を構成する外囲部材２００と鏡筒部材４２０とのそれぞれの形状などに応じて、適当な位置（高さ）に遮光部４３０が配されればよい。ここで、図１（ａ）、１（ｂ）に示されるように、筐体５００は、表示デバイス１００の主面１０３に対する正射影において、周辺部１０２と重なるように配される重複部２２０と遮光部４３０とを備えている。重複部２２０および遮光部４３０は、ともに筐体５００から表示デバイス１００の一部を覆うように突出するが、例えば、周辺部１０２と遮光部４３０との距離は、周辺部１０２と重複部２２０との間の距離よりも大きいことからも区別可能である。
【００２４】
次いで、接眼光学系２０の上方に光を透過し、レンズ４１０を保護するカバー部材３０が設置されることによって、図１（ａ）に示される本実施形態の電子ビューファインダ７００が完成する。本実施形態において、カバー部材３０は、接眼光学系２０を構成する鏡筒部材４２０によって、表示モジュール１０の上に支持される。しかしながら、これに限られることはなく、表示モジュール１０の外囲部材２００の側壁部２１０などによって、レンズ４１０やカバー部材３０が支持されていてもよい。換言すれば、外囲部材２００と鏡筒部材４２０とを含む筐体５００によって、レンズ４１０やカバー部材３０が支持される。
【００２５】
ここで、本実施形態の筐体５００のうち外囲部材２００の重複部２２０と、表示部１０１および筐体５００のうち鏡筒部材４２０の遮光部４３０（部分４０２）との位置関係について図２（ａ）、２（ｂ）を用いて詳述する。図２（ａ）は、図１（ｂ）に表示部１０１の端部の発光が、重複部２２０の辺２０３で反射する光線を加えた模式図である。図２（ｂ）は、図２（ａ）に示される領域Ｂの拡大図である。ここで、辺２０３は、表示デバイス１００の主面１０３に対する正射影において、重複部２２０の内縁に配される辺である。重複部２２０の内縁とは、表示デバイス１００の主面１０３に対する正射影において、重複部２２０のうち表示部１０１の中央に最も近い部分である。このため、辺２０３は、重複部２２０の表示デバイス１００の主面１０３からｚ方向に離れて位置する（例えば、主面１０３に接していない）辺のうち、表示デバイス１００の主面１０３に対する正射影において、表示部１０１の中央に最も近い辺であってもよい。より具体的に、辺２０３は、重複部２２０のうち表示デバイス１００の主面１０３と交差する方向に沿って配された側面２０２と、重複部２２０のうち表示デバイス１００の主面１０３に対向する下面とは反対側の上面２０１と、によって形成される。辺２０３は、表示デバイス１００の主面１０３に対する正射影において、重複部２２０のうち表示部１０１の中央に最も近い辺でありうる。側面２０２は、表示デバイス１００の主面１０３に対する正射影において、重複部２２０のうち表示部１０１の中央に最も近い面でありうる。重複部２２０の側面２０２は、表示デバイス１００の主面１０３に対する法線方向（ｚ方向）と平行であってもよい。また、重複部２２０の側面２０２は、表示デバイス１００の主面１０３から離れるにつれて表示部１０１の中央に近づく逆テーパー構造を備えていてもよい。また、重複部２２０の側面２０２が、表示デバイス１００の主面１０３から離れるにつれて表示部１０１の中央から遠ざかるテーパー構造を備える場合を考える。この場合、辺２０３は、表示デバイス１００の主面１０３に対する正射影において、重複部２２０の上面２０１と側面２０２とによって構成される辺のうち表示部１０１の中央に最も近い辺でありうる。
【００２６】
表示デバイス１００において、実際には表示素子１１０の上に、封止層やカラーフィルタなどが設けられている場合もあるが、封止層やカラーフィルタの膜厚は、数μｍ程度であり、ここでは層間界面における屈折の影響は無視できるとみなすこととする。また、上述のように、光透過部材３００の両面には反射防止膜が設けられていることとし、光透過部材３００における面３０１、３０２での屈折も無視できるとみなしている。また、表示モジュールに最も近いレンズ４１０の下面４１１での屈折についても、ｚ方向における重複部２２０からレンズ４１０の下面４１１までの距離に対して、レンズ４１０の厚さは十分に小さいため、無視できるとみなす。
【００２７】
まず、図２（ｂ）に示されるように、表示部１０１の端部からの発光の成分Ｅ１が、表示デバイス１００の主面１０３の法線Ｖに対して角度θ１で表示デバイス１００の主面１０３から出射する場合を考える。ここで法線Ｖの方向は、ｚ方向と平行である。成分Ｅ１は、重複部２２０の辺２０３に当り、上方（接眼光学系２０の方向）へ正反射する。重複部２２０の辺２０３は、図２（ｂ）に示されるように、重複部２２０の側面２０２（内縁）が、ｚ方向に平行な面を有する場合、重複部２２０の内縁における表示デバイス１００からｚ方向に最も離れた点を指すことになる。ここで、重複部２２０の辺２０３で正反射した発光の成分を成分Ｅ２とする。成分Ｅ２は、ｚ方向と直交するｘ方向に対して、角度θ２＝（９０−θ１）をもち、接眼光学系２０へ入射する。成分Ｅ２が、レンズ４１０における部分４０１を通過すると、観察者側へ発光の成分Ｅ２が伝搬し、重複部２２０の辺２０３が光って視認されてしまう。一方、成分Ｅ２が、遮光部４３０（換言すると、レンズ４１０における部分４０２）に入射するように設計されていれば、重複部２２０の辺２０３が光って視認されることはない。図２（ｂ）に示されるように、表示デバイス１００の主面１０３に対する正射影において、表示部１０１の外縁から辺２０３までの長さをＸ［ｍｍ］とする。換言すると、ｘ方向と平行な表示部１０１の端部から重複部２２０の辺２０３までの長さをＸ［ｍｍ］とする。この長さＸの値を大きくし、重複部２２０を表示部１０１から十分遠ざければ、重複部２２０の辺２０３での反射を抑制することができる。しかしながら、Ｘの値を大きくした場合、周辺部１０２の回路素子や配線による外光反射が大きくなり、電子ビューファインダ７００の表示品質が低下する恐れがある。このため、Ｘの値は、適切な値に設定する必要がある。
【００２８】
ここで、図２（ａ）、２（ｂ）に示される長さＸ以外の長さＹ、Ｌ、Ｈについても、以下のように定義する。長さＹ［ｍｍ］は、表示デバイス１００の主面１０３に対する法線方向（ｚ方向）において、表示デバイス１００の主面１０３から重複部２２０の辺２０３までの長さ（高さ）である。長さＬ［ｍｍ］は、表示デバイス１００の主面１０３に対する正射影において、重複部２２０辺２０３から遮光部４３０の内縁のうち重複部２２０の辺２０３と表示部１０１の中央を介して対向する位置に配される辺４０３までの長さである。遮光部４３０が、図２（ａ）に示されるようにレンズ４１０よりも上に配される場合、辺４０３は、遮光部４３０の内縁のうち下側の辺でありうる。また、遮光部４３０が、レンズ４１０よりも上に配される場合、辺４０３は、遮光部４３０の内縁のうち上側の辺でありうる。長さＨ［ｍｍ］は、表示デバイス１００の主面１０３に対する法線方向において、重複部２２０の辺２０３から遮光部４３０の辺４０３までの長さ（高さ）である。
【００２９】
本実施形態において、Ｘ、Ｙ、Ｌ、Ｈの関係を考慮することによって、最低限必要な長さＸの値が算出することができることを以下に示す。表示素子１１０が有機ＥＬ表示素子の場合、有機ＥＬを用いた発光素子の構造によって出射角度分布は異なるが、正面（法線Ｖの方向）における輝度（発光強度）が最も強くなるように、表示素子１１０が設計されることが多い。また、発光層から表示デバイス１００の表面（主面１０３）までの封止層などの界面での全反射による光の閉じ込めも考慮すると、法線Ｖからの角度θ１が大きくなるほど、表示素子１１０から出射される光の輝度は小さくなるのが一般的である。特に、電子ビューファインダのように、表示画像を対向する接眼光学系２０を通して観察する使用方法において、横方向から表示デバイス１００を観察することは少ない。このため、表示素子１１０は、法線Ｖからの角度が所定の角度よりも大きな角度で出射される光の成分が少なくなるように設計されうる。より具体的には、例えば、この所定の角度を４５°とし、θ１≧４５°の角度を有する発光成分の比率は、θ１≦４５°の角度を有する発光成分の比率に比べて非常に小さくなるように設計される。したがって、比率が大きいθ１≦４５°の角度を有する発光成分を重要視し、まず、θ１≦４５°の発光の成分Ｅ１が重複部２２０に入射しないようにＸの値を設定してもよい。つまり、表示部１０１の端部から出射される光のうち表示デバイス１００の主面１０３の法線から所定の角度未満（例えば、４５°未満。）の角度を有する光は、重複部２２０（辺２０３および側面２０２）に入射せずに接眼光学系２０のレンズ４１０に入射するように設計する。また、Ｘ＝Ｙとすると、θ１＝４５°の光が、重複部２２０の辺２０３に入射し、Ｘ≧Ｙに設定すると、少なくともθ１＜４５°の光が、重複部２２０へ入射することを抑制できることがわかる。ここでは、表示素子１１０から出射される光の閉じ込めを考慮した「所定の角度」を法線Ｖから４５°として説明するが、これに限られることはない。例えば、「所定の角度」は、３０°〜６０°の範囲であってもよく、表示デバイス１００や接眼光学系２０の仕様などによって適宜選択すればよい。
【００３０】
次に、比率の小さいθ１≧４５°の角度を有する発光成分については、θ２≦４５°となり、Ｈ≧Ｌに設定することで、θ２≦４５°の反射角を持つ成分Ｅ２が、遮光部４３０に入射する。つまり、表示部１０１から出射される光のうち表示デバイス１００の主面１０３の法線から所定の角度以上（例えば、４５°以上。）の角度を有し重複部２２０（辺２０３および側面２０２）で反射する光は、接眼光学系２０の遮光部４３０に入射する。このため、観察者が重複部２２０の辺２０３における反射を視認することが抑制される。以上のように、Ｘ≧ＹおよびＨ≧Ｌになるようにそれぞれの値を設定することによって、０°≦θ１≦９０°の全ての発光成分の重複部２２０の辺２０３での反射を、観察者が視認することを抑制できる。重複部２２０の辺２０３が、重複部２２０の内縁における表示デバイス１００からｚ方向に最も離れた点として説明した理由は、重複部２２０の内縁において表示デバイス１００からｚ方向に最も離れた点が、最も発光の成分Ｅ１の入射角θ１が小さくなるためである。このため、角度θ１の値が小さい光が入射する可能性が高く、また、重複部２２０の辺２０３で反射した光が接眼光学系２０の光を透過するレンズ４１０の部分４０１に入射しやすいためである。
【００３１】
上述のように、重複部２２０は、表示部１０１の外縁から長さＸ、離れて配される。このため、周辺部１０２のうち表示部１０１の外縁から長さＸの領域は、重複部２２０によって覆われていない状態となる。周辺部１０２における外光反射による電子ビューファインダ７００の表示品質の低下を抑制するために、表示デバイス１００の主面１０３に対する正射影において、周辺部１０２のうち重複部２２０が重なっていない部分が、反射抑制層１０４に覆われていてもよい。反射抑制層１０４は、例えば、表示部１０１に配されるカラーフィルタ層１０５を周辺部１０２まで設けてもよい。反射抑制層１０４層は、表示部１０１に配されるカラーフィルタ層１０５と同様の複数色の配置パターンであってもよいし、カラーフィルタ層１０５のうち何れか単色のみをベタパターンとして配置してもよい。つまり、反射抑制層１０４が、カラーフィルタ層１０５に配されるカラーフィルタと同じ材料を用いた層を含んでいてもよい。また、反射抑制層１０４は、カラーフィルタ層１０５とは別の材料を用いて形成されてもよい。
【００３２】
次に、表示デバイス１００の最表面にガラス板やプラスチック板など、光学的に無視できない膜厚（概ね５０μｍ以上）を有する保護層１２０が設けられている場合について、図３（ａ）、３（ｂ）を用いて詳述する。
【００３３】
図３（ａ）に示されるように、表示素子１１０が配された表示デバイス１００の上に、保護層１２０が配されている。保護層１２０は、周辺部１０２において、外部接続端子（不図示）などの上からは除かれうる。図３（ａ）に示される領域Ｃの拡大図が、図３（ｂ）に示されている。図３（ｂ）に示されるように、表示デバイス１００の主面１０３に対する法線方向（ｚ方向）において、保護層１２０の主面１０３と対向する下面１２１とは反対側の上面１２２から重複部２２０の辺２０３までの長さ（高さ）をＹ１［ｍｍ］、保護層１２０の厚さをＹ２［ｍｍ］とする。また、保護層１２０の屈折率はｎ（１よりも大きい）とする。このとき、表示部１０１の端部からの発光の成分Ｅ１は、表示デバイス１００の主面１０３の法線Ｖに対して角度θ１で保護層１２０と空気の界面（つまり、保護層１２０の上面１２２。）に入射した光は、保護層１２０と空気との屈折率差によって、屈折角θ１’≧入射角θ１の関係で屈折する。屈折して空気中に出射した発光の成分を成分Ｅ１’とすると、図３（ｂ）に示すように成分Ｅ１’は角度θ１’で重複部２２０の辺２０３に入射し、反射角θ２＝（９０−θ１’）で上方（接眼光学系２０の方向）に正反射する。ここで、上述のＸ、Ｙ、Ｙ１、Ｙ２、Ｌ、Ｈを用いて、それぞれの関係を整理すると、
θ２＝ａｒｃｔａｎ（Ｈ／Ｌ）から、θ１’＝９０−ａｒｃｔａｎ（Ｈ／Ｌ）となる。
【００３４】
一方、発光の成分Ｅ１の角度θ１と発光の成分Ｅ１’の角度θ１’とは、スネルの法則から、
ｓｉｎθ２／ｓｉｎθ１＝ｎとなり、
θ１＝ａｒｃｓｉｎ｛（ｓｉｎθ２）／ｎ｝
＝ａｒｃｓｉｎ［ｓｉｎ｛９０−ａｒｃｔａｎ（Ｈ／Ｌ）｝／ｎ］
で表せる。
【００３５】
ここで、上述の長さＸのうち光が保護層１２０の中を通る長さをＸ２［ｍｍ］、光が空気中を通る長さをＸ１［ｍｍ］とすると、
Ｘ２／Ｙ２＝ｔａｎθ１
＝ｔａｎ〔ａｒｃｓｉｎ［ｓｉｎ｛９０−ａｒｃｔａｎ（Ｈ／Ｌ）｝／ｎ］〕
Ｘ１／Ｙ１＝ｔａｎθ２
＝ｔａｎ｛９０−ａｒｃｔａｎ（Ｈ／Ｌ）｝
となり、
Ｘ＝Ｘ１＋Ｘ２
＝Ｙ１ｔａｎ｛９０−ａｒｃｔａｎ（Ｈ／Ｌ）｝
＋Ｙ２ｔａｎ〔ａｒｃｓｉｎ［ｓｉｎ｛９０−ａｒｃｔａｎ（Ｈ／Ｌ）｝／ｎ］〕
となる。よって、
Ｘ≧Ｙ１ｔａｎ｛９０−ａｒｃｔａｎ（Ｈ／Ｌ）｝
＋Ｙ２ｔａｎ〔ａｒｃｓｉｎ［ｓｉｎ｛９０−ａｒｃｔａｎ（Ｈ／Ｌ）｝／ｎ］〕
の関係を満たすように、保護層１２０の膜厚である厚さＹ２や屈折率ｎに応じて、Ｘ、Ｙ１、Ｈ、Ｌを設定することで、重複部２２０（辺２０３および側面２０２）での反射光が、レンズ４１０の光を透過する部分４０１を通過することが抑制され、遮光部４３０に入射する。これによって、観察者が表示部１０１から出射され重複部２２０の内縁で反射した光を視認することが抑制される。
【００３６】
例えば、保護層１２０に屈折率ｎ＝１．５、膜厚Ｙ２＝０．７ｍｍのガラス板を用い、保護層１２０の面１２２から重複部２２０の辺２０３までのｚ方向の長さＹ１＝０．５ｍｍ、Ｌ＝Ｈに設定する場合を考える。この場合、上述の式からＸ≧０．８７４ｍｍあれば、重複部２２０の辺２０３での反射による電子ビューファインダ７００の表示品質の低下を抑制できることが導出される。
【００３７】
一般的に、表示デバイス１００のサイズに依存するＬや、レンズ４１０の光学性能に依存するＨについて、設計上の制約が大きく、値の変更が難しい場合が多い。このため、ＬおよびＨの値を固定すると、上述の式からわかるようにＹ１（重複部２２０の厚さに依存）やＹ２（保護層１２０の厚さに依存）の値を小さくすることによって、Ｘの値を小さくすることができる。Ｙ１の値を小さくするために重複部２２０を全体的に薄くした場合、重複部２２０の剛性が不足し、表示デバイス１００を重複部２２０に当接させる際に、重複部２２０が変形してしまう可能性がある。そこで、図４に示すように、重複部２２０の表示デバイス１００と対向する面とは反対側の上面２０１’が、表示部１０１から離れるにしたがって、前記１面からの距離が段階的に大きくなる階段形状を備えていてもよい。このとき、図４に示されるように、表示デバイス１００の主面１０３に対する法線方向（ｚ方向）において、階段形状のうち重複部２２０の内縁の側面２０２によって構成される段差が、他の段差よりも小さくてもよい。重複部２２０の内縁の側を厚さが薄い階段形状とすることで、重複部２２０全体としての剛性を確保しつつ、Ｘの値を小さくすることができ、周辺部１０２における外光反射による電子ビューファインダ７００の表示品質の低下を抑制することが可能となる。
【００３８】
図５は、本実施形態の電子ビューファインダ７００を備える撮像装置の一例を表す模式図である。カメラである撮像装置１０００は、上述の電子ビューファインダ７００、シャッターボタン１００１、背面ディスプレイ１００２、操作部１００３、外装部材１００４を含む。電子ビューファインダ７００の表示部１０１には、撮像する画像のみならず、環境情報、撮像指示などが表示されてもよい。環境情報は、外光の強度、外光の向き、被写体の動く速度、被写体が遮蔽物に遮蔽される可能性などの情報であってもよい。本例では電子ビューファインダ７００を内蔵した撮像装置１０００を例示しているが、外付けの電子ビューファインダ７００を撮像装置１０００に着脱可能としてもよい。
【００３９】
また、撮像装置１０００は、不図示の光学部を有する。光学部は複数のレンズを有し、光学部を通過した光を受光する、外装部材１００４内に収容されている撮像素子１００５に結像する。光学部は、レンズを透過した光を反射するミラーを有していてもよいが、撮像装置１０００はノンレフレックス（ミラーレス）方式のカメラであってもよい。複数のレンズは、その相対位置を調整することで、焦点を調整することができる。この操作を自動で行うこともできる。複数のレンズは撮像装置１０００から着脱可能な交換レンズあってもよいし、そうでなくてもよい。撮像素子が撮像する画像が、電子ビューファインダ７００の表示部１０１に表示されうる。本実施形態の電子ビューファインダ７００は、レンズ交換式のミラーレスカメラに好適である。
【００４０】
発明は上記実施形態に制限されるものではなく、発明の精神及び範囲から離脱することなく、様々な変更及び変形が可能である。従って、発明の範囲を公にするために請求項を添付する。
【符号の説明】
【００４１】
１００：表示デバイス、１０１：表示部、１０２：周辺部、１１０：表示素子、２２０：重複部、４１０：レンズ、４３０：遮光部、５００：筐体、７００：電子ビューファインダ
【図１】
2020181103.tif 000003
【図２】
2020181103.tif 000004
【図３】
2020181103.tif 000005
【図４】
2020181103.tif 000006
【図５】
2020181103.tif 000007